(57)【要約】【課題】ＬＥＤ光源の移動点滅がより鮮明且つ効果的に視認できるエスカレータの乗降部欄干照明装置を得る。【解決手段】上下乗降部から踏段傾斜開始部にかけてのガードレールベース６内に設けられ、ＬＥＤ光源９が踏段の移動方向に沿って間隔をおいて一列に並べられた乗降部欄干照明機器８と、ガードレールベースの下面開口部に着脱自在に係止され、ガードレールベースの下方に大きく突出する樋状の内側透明カバー１３と、内側透明カバーの外側に着脱自在に取り付けられ、光拡散用のダイヤモンド加工が施された透明樹脂板から成る外側照明カバー１５とを備え、踏段の移動方向に沿って順次点滅移動するＬＥＤ光源の可視光線は、ガードレールベースの下面開口部を通して下方に照射され、内側透明カバーを通過して外側透明カバーにより光拡散されて可視領域を大きくする。【選択図】図４
2008239325.tif 000002
【特許請求の範囲】
【請求項１】
踏段と同期して移動する移動手摺を案内するガードレールが透明欄干パネルにて支持されており、エスカレータの上下乗降部から踏段傾斜開始部にかけての欄干上部に、ＬＥＤを光源とし該ＬＥＤ光源を踏段の移動方向に沿って順次点滅移動させることによりエスカレータの運転方向を表示する点滅移動式照明装置が設置されたエスカレータの乗降部欄干照明装置において、
前記欄干上部に設けられ、移動手摺を案内するガードレールフランジが上端部に固定され、下面が開口されたガードレールベースと、
上下乗降部から踏段傾斜開始部にかけての前記ガードレールベース内に設けられ、前記ＬＥＤ光源が踏段の移動方向に沿って間隔をおいて一列に並べられた乗降部欄干照明機器と、
前記ガードレールベースの下面開口部に着脱自在に係止され、前記ガードレールベースの下方に大きく突出する樋状の内側透明カバーと、
前記内側透明カバーの外側に着脱自在に取り付けられ、光拡散用のダイヤモンド加工が施された透明樹脂板から成る外側照明カバーとを備え、
前記踏段の移動方向に沿って順次点滅移動する前記ＬＥＤ光源の可視光線は、前記ガードレールベースの下面開口部を通して下方に照射され、前記内側透明カバーを通過して前記外側透明カバーにより光拡散されて可視領域を大きくすることを特徴とするエスカレータの乗降部欄干照明装置。
【請求項２】
踏段と同期して移動する移動手摺を案内するガードレールが透明欄干パネルにて支持されており、エスカレータの上下乗降部から踏段傾斜開始部にかけての欄干上部に、ＬＥＤを光源とし該ＬＥＤ光源を踏段の移動方向に沿って順次点滅移動させることによりエスカレータの運転方向を表示する点滅移動式照明装置が設置されたエスカレータの乗降部欄干照明装置において、
前記欄干上部に設けられ、移動手摺を案内するガードレールフランジが上端部に固定され、下面が開口されたガードレールベースと、
上下乗降部から踏段傾斜開始部にかけての前記ガードレールベース内に設けられ、前記ＬＥＤ光源が踏段の移動方向に沿って間隔をおいて一列に並べられた乗降部欄干照明機器と、
前記ガードレールベースの下面開口部に着脱自在に係止され、前記ガードレールベースの下方に大きく突出する樋状の内側透明カバーと、
前記内側透明カバーの外側に着脱自在に取り付けられ、光拡散用のダイヤモンド加工が施された透明樹脂板から成る外側照明カバーと、
前記ガードレールベースに上端部が取り付けられた前記透明欄干パネルの上端部外側面に設けられ、光拡散用のダイヤモンド加工が施された透明樹脂板から成る補助透明板とを備え、
前記踏段の移動方向に沿って順次点滅移動する前記ＬＥＤ光源の可視光線は、前記ガードレールベースの下面開口部を通して下方に照射され、前記内側透明カバーを通過して前記外側透明カバー、及び前記補助透明板により光拡散されて可視領域を大きくすることを特徴とするエスカレータの乗降部欄干照明装置。
【請求項３】
乗降部欄干照明機器は、ＬＥＤ光源の上下の高さ位置を調整可能な構造としたことを特徴とする請求項１又は請求項２記載のエスカレータの乗降部欄干照明装置。
【請求項４】
内側透明カバーは、上端部にガードレールベースの下面開口部に着脱自在に係止されるストッパーを備えることを特徴とする請求項又は請求項２記載のエスカレータの乗降部欄干照明装置。
【請求項５】
外側照明カバーは、上下の高さ位置を調整可能な構造としたことを特徴とする請求項１又は請求項２記載のエスカレータの乗降部欄干照明装置。
【発明の詳細な説明】
【技術分野】
【０００１】
この発明は、利用客が昇降方向を容易に認知できるようにしたエスカレータの乗降部欄干照明装置に関するものである。
【背景技術】
【０００２】
従来、高齢者や子供などの利用客がエスカレータに乗り込み易くするために、エスカレータの乗降部の乗降板間又は欄干の下方に設けられる内デッキ、更にはスカートガードパネル、内側パネル、手摺デッキに、踏段の移動方向に沿って間隔をおいて複数個の光源を設け、この複数個の光源は案内装置を構成し、これら光源を制御装置により踏段に乗降するタイミングに合わせて点滅させ、利用客に対し、コム付近に行くまでに案内装置の点滅するタイミングにより乗降するタイミングを示唆するようにしたエスカレータが提案されている（例えば、特許文献１参照）。
【０００３】
【特許文献１】特開２００４−１１５１７１号公報
【発明の開示】
【発明が解決しようとする課題】
【０００４】
従来のエスカレータでは、エスカレータの乗降部の乗降板間、欄干の下方に設けられる内デッキ、スカートガードパネルに、踏段の移動方向に沿って間隔をおいて複数個の光源を設けた場合は、利用客が乗降部の近くに来るまでは複数個の光源からなる案内装置の存在が判らず、遠くの利用客にはあまり効果がなかった。また、内側パネル、手摺デッキに、踏段の移動方向に沿って間隔をおいて複数個の光源を設けた場合は、設置の仕方によっては、遠くからでも案内装置の存在を認知できるようにすることは可能ではあるが、通常の点滅移動方式では視認するのに限界があり、利用客に鮮明且つ効果的に視認できるまでには至らず、十分に満足なものが得られなかった。
【０００５】
この発明は、上述のような課題を解決するためになされたもので、利用客が昇降方向を容易に認知できるように、エスカレータの乗降部から踏段傾斜開始部にかけての欄干上部にＬＥＤを光源とする点滅移動式照明装置を設け、ＬＥＤの可視光線の移動点滅がより鮮明且つ効果的に視認できるよう現地で調整が可能な構造としたエスカレータの乗降部欄干照明装置を提供するものである。
【課題を解決するための手段】
【０００６】
この発明に係るエスカレータの乗降部欄干照明装置においては、踏段と同期して移動する移動手摺を案内するガードレールが透明欄干パネルにて支持されており、エスカレータの上下乗降部から踏段傾斜開始部にかけての欄干上部に、ＬＥＤを光源とし該ＬＥＤ光源を踏段の移動方向に沿って順次点滅移動させることによりエスカレータの運転方向を表示する点滅移動式照明装置が設置されたものにおいて、欄干上部に設けられ、移動手摺を案内するガードレールフランジが上端部に固定され、下面が開口されたガードレールベースと、上下乗降部から踏段傾斜開始部にかけてのガードレールベース内に設けられ、ＬＥＤ光源が踏段の移動方向に沿って間隔をおいて一列に並べられた乗降部欄干照明機器と、ガードレールベースの下面開口部に着脱自在に係止され、ガードレールベースの下方に大きく突出する樋状の内側透明カバーと、内側透明カバーの外側に着脱自在に取り付けられ、光拡散用のダイヤモンド加工が施された透明樹脂板から成る外側照明カバーとを備え、踏段の移動方向に沿って順次点滅移動するＬＥＤ光源の可視光線は、ガードレールベースの下面開口部を通して下方に照射され、内側透明カバーを通過して外側透明カバーにより光拡散されて可視領域を大きくするものである。
【０００７】
また、ガードレールベースに上端部が取り付けられた透明欄干パネルの上端部外側面に設けられ、光拡散用のダイヤモンド加工が施された透明樹脂板から成る補助透明板を更に備え、踏段の移動方向に沿って順次点滅移動するＬＥＤ光源の可視光線は、ガードレールベースの下面開口部を通して下方に照射され、内側透明カバーを通過して外側透明カバー、及び補助透明板により光拡散されて可視領域を大きくするものである。
【０００８】
また、乗降部欄干照明機器は、ＬＥＤ光源の上下の高さ位置を調整可能な構造としたものである。
【０００９】
また、内側透明カバーは、上端部にガードレールベースの下面開口部に着脱自在に係止されるストッパーを備えるものである。
【００１０】
また、外側照明カバーは、上下の高さ位置を調整可能な構造としたものである。
【発明の効果】
【００１１】
この発明によれば、上下乗降部から踏段傾斜開始部にかけてのガードレールベース内に設けられ、ＬＥＤ光源が踏段の移動方向に沿って間隔をおいて一列に並べられた乗降部欄干照明機器と、ガードレールベースの下面開口部に着脱自在に係止され、ガードレールベースの下方に大きく突出する樋状の内側透明カバーと、内側透明カバーの外側に着脱自在に取り付けられ、光拡散用のダイヤモンド加工が施された透明樹脂板から成る外側照明カバーとを備え、踏段の移動方向に沿って順次点滅移動するＬＥＤ光源の可視光線は、ガードレールベースの下面開口部を通して下方に照射され、内側透明カバーを通過して外側透明カバーにより光拡散されて可視領域を大きくするので、可視領域の拡大ができ、移動点滅がより鮮明に且つ効果的に視認できるものである。また外側透明カバーはダイヤモンド加工が施された透明樹脂板を使用しているので、可視領域が飛躍的に広くなり、遠方からでも鮮明に光り輝いて良く見えるとともに、利用客の注目度が増大し、視認性をより一層向上させることができる効果がある。
【発明を実施するための最良の形態】
【００１２】
実施の形態１．
図１はこの発明の実施の形態１におけるエスカレータの乗降部欄干照明装置を適用したエスカレータ全体を示す概略構成図、図２はこの発明の実施の形態１におけるエスカレータの乗降部欄干照明装置を示す部分斜視図、図３はこの発明の実施の形態１におけるエスカレータの乗降部欄干上部の構造をＬＥＤ光源を省略して示す断面図、図４はこの発明の実施の形態１におけるエスカレータの乗降部欄干照明装置の構造を示す要部断面図、図５はこの発明の実施の形態１におけるエスカレータの乗降部欄干照明装置のＬＥＤ光源の構成を示す底面図、図６はこの発明の実施の形態１におけるエスカレータの乗降部欄干上部の構造をＬＥＤ光源を省略して示す分解斜視図、図７はこの発明の実施の形態１におけるエスカレータの乗降部欄干照明装置の内側照明カバーを示す側面図である。
【００１３】
図において、１はエスカレータで、上下乗降部から踏段傾斜開始部にかけての欄干上部、この発明によるＬＥＤを光源とする点滅移動式照明装置２が設けられている。３は踏段（図示せず）と同期して移動する移動手摺、４は移動手摺３を案内するクリップガイド、５はこのクリップガイド４を上端部に取り付けたガードレールフランジ、６はこのガードレールフランジ５を上端部に固定したガードレールベースで、下面が開口された箱状であり、上下乗降部間に位置する踏段傾斜部に対応する箱状ボックス内には蛍光ランプ等（図示せず）が収納されている。７はガードレールベース６の下端内側部に上端部が取り付けられた透明ガラス板からなる透明欄干パネル、８はガードレールベース６の上下乗降部から踏段傾斜開始部にかけての箱状ボックス内に設けられたＬＥＤ９を光源とする乗降部欄干照明機器で、四角に並べられた４個のＬＥＤ９を一単位として、下向きに配置され且つ踏段の移動方向に沿って間隔をおいて一列に並べられたＬＥＤ取付板ユニット１０を箱状の照明機器本体１１に取り付けている。そして、これらのＬＥＤ９を光源とする乗降部欄干照明機器８は、４個のＬＥＤ９を一単位としたＬＥＤ取付板ユニット１０を、踏段の移動方向に沿って順次点滅させることにより、エスカレータの運転方向を示すようにしている。また、乗降部欄干照明機器８のＬＥＤ取付板ユニット１０は、ＬＥＤ取付位置調整用長穴１２により、現地にて上下の高さ位置を調整可能な構造となっている。１３はガードレールベース６の下面開口部に着脱自在に取り付けられ、ガードレールベース６の下方に大きく突出する断面Ｕ字状に形成された樋状の内側透明カバー、１４はこの樋状の内側透明カバー１３の左右上端部の前後２個所にそれぞれ突出して設けた内側透明カバー用ストッパーである。この内側透明カバー１３は、上端部のストッパー１４を上記ガードレールベース６の下面開口部から上方に挿入することにより、ストッパー１４の下端部が上記ガードレールベース６の開口縁部に係止されて容易に取り付けられる。また、取り外す際は、内側透明カバー１３を手で挟み、内側に押さえ込み少し湾曲させて行うことで、ストッパー１４が外れるので、容易に取り外しできる。また、内側透明カバー１３は、その殆ど大部分をガードレールベース６の下方に大きく突出するようにしている。１５は内側透明カバー１３の外側に密着して取り付けられる樋状の外側透明カバーで、光を効果的に拡散させるためにダイヤモンド加工が施された透明樹脂板を使用しており、内側透明カバー１３と同様に、その殆ど大部分をガードレールベース６の下方に大きく突出させている。従来は乳白色でダイヤモンド加工無しの照明カバー等で覆っていたが、光拡散効果がなく、可視領域も狭く、遠方からの視認性や注目度等に欠けているものであった。なお、内外２枚の透明カバーを使用する根拠は、透明カバーを１枚にした場合、手で挟み押さえ込みカバーを湾曲する際、強度が高すぎて容易に湾曲しないためである。１６は上記外側透明カバー１５を内側透明カバー１３に着脱自在に取り付けるための取付ビス、１７は上記内側透明カバー１３の取付ビス１６の対応個所に設けられたねじ座であり、上記取付ビス１６のねじ座１７へのねじ込み量により、光拡散板となるダイヤモンド加工が施された外側透明カバー１５の上下高さ位置を調整することができる。
【００１４】
この実施の形態１によれば、ＬＥＤ光源の可視光線が、ガードレールベースの下面開口部を通して下方に照射され、内側透明カバーを通過して外側透明カバーにより光拡散され、踏段の移動方向に沿って間隔をおいて一列に並べられ、踏段の移動方向に沿って順次点滅させることで、エスカレータの運転方向を示すものである。そして、ＬＥＤ光源は、現地にて上下の高さ位置を調整可能である。また、ＬＥＤ光源の下方に設けられる内側透明カバー及び外側透明カバーは、その殆ど大部分をガードレールベースの下方に大きく突出させているので、可視領域の拡大ができ、移動点滅がより鮮明に且つ効果的に視認できるものである。また外側透明カバーは、光を効果的に拡散させるためにダイヤモンド加工が施された透明樹脂板を使用しているので、可視領域が飛躍的に広くなり、遠方からでも鮮明に光り輝いて良く見えるとともに、利用客の注目度が増大し、視認性をより一層向上させることができる。
【００１５】
実施の形態２．
図８はこの発明の実施の形態２におけるエスカレータの乗降部欄干上部の構造をＬＥＤ光源を省略して示す断面図である。
この実施の形態２においては、ガードレールベース６の下端内側部に上端部が取り付けられた透明ガラス板からなる透明欄干パネル７の上端部外側面に、光を効果的に拡散させるためにダイヤモンド加工が施された透明樹脂板からなる補助透明板１８を貼り付けたものである。この補助透明板１８の貼り付け位置は、上下乗降部から踏段傾斜開始部にかけての欄干上部であって、縦寸法は約１００ｍｍ程度で十分である。これにより、実施の形態１の効果に加えて、更なる光拡散効果による視認性の向上が図ることができる。
【図面の簡単な説明】
【００１６】
【図１】この発明の実施の形態１におけるエスカレータの乗降部欄干照明装置を適用したエスカレータ全体を示す概略構成図である。
【図２】この発明の実施の形態１におけるエスカレータの乗降部欄干照明装置を示す部分斜視図である。
【図３】この発明の実施の形態１におけるエスカレータの乗降部欄干上部の構造をＬＥＤ光源を省略して示す断面図である。
【図４】この発明の実施の形態１におけるエスカレータの乗降部欄干照明装置の構造を示す要部断面図である。
【図５】この発明の実施の形態１におけるエスカレータの乗降部欄干照明装置のＬＥＤ光源の構成を示す底面図である。
【図６】この発明の実施の形態１におけるエスカレータの乗降部欄干上部の構造をＬＥＤ光源を省略して示す分解斜視図である。
【図７】この発明の実施の形態１におけるエスカレータの乗降部欄干照明装置の内側照明カバーを示す側面図である。
【図８】この発明の実施の形態２におけるエスカレータの乗降部欄干上部の構造をＬＥＤ光源を省略して示す断面図である。
【符号の説明】
【００１７】
１  エスカレータ
２  点滅移動式照明装置
３  移動手摺
４  クリップガイド
５  ガードレールフランジ
６  ガードレールベース
７  透明欄干パネル
８  乗降部欄干照明機器
９  ＬＥＤ
１０  ＬＥＤ取付板ユニット
１１  照明機器本体
１２  ＬＥＤ取付位置調整用長穴
１３  内側透明カバー
１４  内側透明カバー用ストッパー
１５  外側透明カバー
１６  取付ビス
１７  ねじ座
１８  補助透明板
【図１】
2008239325.tif 000003
【図２】
2008239325.tif 000004
【図３】
2008239325.tif 000005
【図４】
2008239325.tif 000006
【図５】
2008239325.tif 000007
【図６】
2008239325.tif 000008
【図７】
2008239325.tif 000009
【図８】
2008239325.tif 000010